(57)【要約】  車両の前端に設けられるバンパフェイスと、バンパフェイスのバンパ開口部に配設されるロアグリルとを有し、バンパフェイスは、バンパ開口部内にてバンパフェイスと一体成形された後、バンパフェイスから分離されるフックカバー（２０）と、バンパ開口部内にてバンパフェイスと一体成形され、フックカバー（２０）を着脱自在に支持固定するフックカバー保持機構（２６）とを備え、フックカバー（２０）は、バンパフェイスに設けられたフックカバー取付部を閉塞するカバー本体部（４０）と、フックカバー取付部に設けられたバンパ係合部に係止されるカバー係止爪（３２）とを有し、フックカバー保持機構（２６）は、フックカバー（２０）の弾性変形によってカバー係止爪（３２）が係合支持される保持係止爪（３４）を有する。
2013027576.tif 000002
【特許請求の範囲】
【請求項１】
車両の前端に設けられるバンパフェイスと、前記バンパフェイスのバンパ開口部に配設されるバンパ構成部材とを有し、
前記バンパフェイスは、前記バンパ開口部内にて前記バンパフェイスと一体成形された後、前記バンパフェイスから分離されるフックカバーと、前記バンパ開口部内にて前記バンパフェイスと一体成形され、前記フックカバーを着脱自在に支持固定するフックカバー保持機構とを備え、
前記フックカバーは、前記バンパフェイスに設けられたフックカバー取付部を閉塞するカバー本体部と、前記フックカバー取付部に設けられたバンパ係合部に係止されるカバー係止爪とを有し、
前記フックカバー保持機構は、前記フックカバーの弾性変形によって前記カバー係止爪が係合支持される保持係止爪を有することを特徴とする車両前部構造。
【請求項２】
前記フックカバーは、
前記カバー本体部から外方に延出するカバー軸部と、
前記カバー本体部と前記カバー軸部との間に設けられるカバー弾性部と、
をさらに備え、
前記フックカバー保持機構は、
前記フックカバーを支持固定する際に前記カバー軸部が挿入される第１保持開口部と、
前記カバー係止爪が挿入され、前記保持係止爪を有する第２保持開口部と、
をさらに備えることを特徴とする請求項１記載の車両前部構造。
【請求項３】
前記フックカバー保持機構は、
前記第１保持開口部の左右側に設けられ、前記バンパ開口部の端縁に接続される保持脚部と、
前記第２保持開口部の近傍から前記バンパ開口部の中央に延出する保持操作部と、
をさらに備え、
前記保持操作部を前記バンパフェイスの内方に押圧することで、前記カバー係止爪との係合が解除されることを特徴とする請求項２記載の車両前部構造。
【請求項４】
前記保持脚部は、
前記バンパフェイスの外方に設けられるカバー保持爪と、
前記バンパフェイスの内方に設けられる保持補強部と、
を有することを特徴とする請求項３記載の車両前部構造。
【請求項５】
前記バンパ構成部材は、ライセンスプレートが装着されるライセンスプレート設置部と、前記ライセンスプレート設置部に形成されるライセンスプレート開口部とを有し、
前記フックカバー保持機構は、前記ライセンスプレート開口部内に配置されることを特徴とする請求項１乃至請求項４のいずれか１項記載の車両前部構造。
【請求項６】
前記カバー軸部は、左右側部中央から前記カバー本体部に向かって外方に延出するカバー規制部を備え、
前記フックカバー取付部は、外端に形成され、前記カバー軸部が挿入されるカバー挿入口を有し、
前記カバー規制部は、前記カバー軸部が前記カバー挿入口に挿入される際、前記カバー軸部に向かって弾性変形すると共に、前記フックカバーが車両外方に開放される際に前記バンパフェイスの裏面を弾性支持することを特徴とする請求項２記載の車両前部構造。
【請求項７】
請求項３記載の車両前部構造を有する車両の製造方法であって、
前記バンパフェイスと、前記フックカバーと、前記フックカバー保持機構とを一体成形する工程と、
前記フックカバーを前記バンパフェイスから分離する工程と、
前記フックカバーの前記カバー軸部を前記第１保持開口部に挿入すると共に、前記カバー係止爪を前記保持係止爪に係合固定する工程と、
前記保持操作部を前記バンパフェイスの内方に押圧して前記カバー係止爪との係合を解除すると共に、前記フックカバーを前記第１保持開口部から上方に向かって抜き取る工程と、
前記フックカバーを前記フックカバー取付部に対して取り付ける工程と、
を有することを特徴とする車両の製造方法。
【発明の詳細な説明】
【技術分野】
【０００１】
本発明は、バンパに形成されるフック孔を開閉可能とするフックカバーを含む車両前部構造及び車両の製造方法に関する。
【背景技術】
【０００２】
乗用車では、デザイン上の観点から、例えば、フロントバンパに形成されたフック孔をフックカバーで閉塞して、外観上見えないようにしている。このフック孔は、例えば、車両故障や事故等で車両を牽引するための車両牽引用フックを貫通可能とするものである。【０００３】
この種のフックカバーの構造に関し、例えば、特許文献１には、フック孔を開閉可能とするフックカバーに形状が合致するカバー体をバンパと共に一体成形し、カバー体をバンパの塗装部分又は非塗装部分に対して取り外し可能に一体的に固着したバンパ構造が開示されている。
【先行技術文献】
【特許文献】
【０００４】
【特許文献１】特開２００７−１８６０２６号公報
【発明の概要】
【発明が解決しようとする課題】
【０００５】
しかしながら、特許文献１に開示されたバンパ構造では、フックカバーをバンパと一体的に固着したまま同時に塗装した場合、フックカバーが振動して色ムラや下地の色が透けて見える塗装透けが発生するという問題がある。この色ムラや塗装透けを防止するためには、バンパフェイスの形状毎にフックカバーを保持する治具を配置する必要があり、煩雑であると共に製造コストが高騰する。【０００６】
また、特許文献１に開示されたバンパ構造では、フックカバーがバンパと一体化したまま車両に取り付けられていると、フック孔にフックカバーを取り付ける際、別途作業工具が必要となり、取付作業が煩雑となる。これとは逆に、フックカバーとバンパとを一体成形した後に製造工程においてフックカバーとバンパとを切り離した場合、それぞれ別々の流通ルートとなり、包装コストや搬送コストが嵩むという問題がある。【０００７】
本発明の一般的な目的は、色ムラや塗装透けの発生を防止することが可能な車両前部構造及び車両の製造方法を提供することにある。また、本発明の主たる目的は、製造コストを低減することが可能な車両前部構造及び車両の製造方法を提供することにある。
【課題を解決するための手段】
【０００８】
前記の目的を達成するために、本発明は、車両の前端に設けられるバンパフェイスと、前記バンパフェイスのバンパ開口部に配設されるバンパ構成部材とを有し、前記バンパフェイスは、前記バンパ開口部内にて前記バンパフェイスと一体成形された後、前記バンパフェイスから分離されるフックカバーと、前記バンパ開口部内にて前記バンパフェイスと一体成形され、前記フックカバーを着脱自在に支持固定するフックカバー保持機構とを備え、前記フックカバーは、前記バンパフェイスに設けられたフックカバー取付部を閉塞するカバー本体部と、前記フックカバー取付部に設けられたバンパ係合部に係止されるカバー係止爪とを有し、前記フックカバー保持機構は、前記フックカバーの弾性変形によって前記カバー係止爪が係合支持される保持係止爪を有することを特徴とする。【０００９】
本発明によれば、バンパフェイスとフックカバーとフックカバー保持機構とが一体成形された後、フックカバーをバンパフェイスから分離し、フックカバーの弾性変形によってカバー係止爪を保持係止爪に係合支持させている。このようにすることにより、本発明では、バンパフェイスとフックカバーとを同時に塗装する際、フックカバー保持機構がフックカバーの振動・変位を阻止して支持固定する治具の機能を発揮することができる。この結果、本発明では、色ムラや塗装透けの発生を防止することができる。【００１０】
また、本発明によれば、バンパフェイスからフックカバーを分離することで、別部品として管理することができ、補修部品製造時において、常時、バンパフェイス及びフックカバーの両方を製造することが不要となり、製造コストを低減することができる。【００１１】
さらに、本発明によれば、フックカバーがフックカバー保持機構によって支持固定された状態で輸送及び高圧洗浄されるため、輸送時の走行風による風圧や高圧洗浄時の洗浄液による水圧でフックカバーがバンパフェイスから離脱することを回避することができる。【００１２】
さらにまた、本発明によれば、フックカバー保持機構を介して、バンパフェイスとフックカバーとが一体的に組み付けられた状態で輸送することができるため、包装コスト及び輸送コストを削減して製造コストを低減することができる。【００１３】
また、本発明は、前記フックカバーが、前記カバー本体部から外方に延出するカバー軸部と、前記カバー本体部と前記カバー軸部との間に設けられるカバー弾性部と、をさらに備え、前記フックカバー保持機構は、前記フックカバーを支持固定する際に前記カバー軸部が挿入される第１保持開口部と、前記カバー係止爪が挿入され、前記保持係止爪を有する第２保持開口部と、をさらに備えることを特徴とする。【００１４】
本発明によれば、バンパフェイスから分離したフックカバーのカバー軸部を第１保持開口部内に挿入し、カバー弾性部の弾性変形によってカバー係止爪を保持係止爪に対して確実に係合支持することができる。【００１５】
さらに、本発明は、前記フックカバー保持機構が、前記第１保持開口部の左右側に設けられ、前記バンパ開口部の端縁に接続される保持脚部と、前記第２保持開口部の近傍から前記バンパ開口部の中央に延出する保持操作部と、をさらに備え、前記保持操作部を前記バンパフェイスの内方に押圧することで、前記カバー係止爪との係合が解除されることを特徴とする。【００１６】
本発明によれば、フックカバーのカバー軸部を保持脚部で係止することによりフックカバーを確実に保持することができる。このため、塗装時におけるフックカバーの振動・変位や、輸送時における風圧や、高圧洗浄時における水圧によってフックカバーが離脱することを好適に回避することができる。また、本発明によれば、保持操作部をバンパフェイスの内方に押圧することで、カバー係止爪と保持係止爪との係合を容易に解除することができ、フックカバー保持機構からフックカバーを取り外すときに別途工具が不要となり、作業性を向上させることができる。【００１７】
さらにまた、本発明は、前記保持脚部が、前記バンパフェイスの外方に設けられるカバー保持爪と、前記バンパフェイスの内方に設けられる保持補強部と、を有することを特徴とする。【００１８】
本発明によれば、カバー保持爪と保持補強部とを設けることにより、フックカバーのカバー軸部に対する支持固定機能を強化し、安定した支持固定状態が得られる。【００１９】
さらにまた、本発明は、前記バンパ構成部材が、ライセンスプレートが装着されるライセンスプレート設置部と、前記ライセンスプレート設置部に形成されるライセンスプレート開口部とを有し、前記フックカバー保持機構は、前記ライセンスプレート開口部内に配置されることを特徴とする。【００２０】
本発明によれば、バンパフェイスが車両の前端に取り付けられた後、ライセンスプレートがライセンスプレート設置部に取り付けられる前にフックカバーの取付作業が遂行される。この場合、フックカバー保持機構は、車両外方から視認可能なライセンスプレート開口部内に配置されているため、バンパフェイスやバンパ構成部材を取り外すことがなく、しかも、別途工具等を用いることがなく、フックカバー保持機構からフックカバーを簡便に取り外すことができる。【００２１】
さらにまた、本発明は、前記カバー軸部が、左右側部中央から前記カバー本体部に向かって外方に延出するカバー規制部を備え、前記フックカバー取付部は、外端に形成され、前記カバー軸部が挿入されるカバー挿入口を有し、前記カバー規制部は、前記カバー軸部が前記カバー挿入口に挿入される際、前記カバー軸部に向かって弾性変形すると共に、前記フックカバーが車両外方に開放される際に前記バンパフェイスの裏面を弾性支持可能とすることを特徴とする。【００２２】
本発明によれば、フックカバーのカバー軸部にカバー規制部を設け、フックカバーがフックカバー取付部から車両外方に開放された際、前記カバー規制部によってバンパフェイスの裏面を弾性支持することができる。この結果、本発明では、牽引フックの使用時であってもフックカバーがバンパフェイスから脱落することがなく、また、開放時にフックカバーが回動してもバンパフェイスの意匠面を傷つけるおそれがない。【００２３】
さらにまた、本発明は、前記のような車両前部構造を有する車両の製造方法であって、前記バンパフェイスと、前記フックカバーと、前記フックカバー保持機構とを一体成形する工程と、前記フックカバーを前記バンパフェイスから分離する工程と、前記フックカバーの前記カバー軸部を前記第１保持開口部に挿入すると共に、前記カバー係止爪を前記保持係止爪に係合固定する工程と、前記保持操作部を前記バンパフェイスの内方に押圧して前記カバー係止爪との係合を解除すると共に、前記フックカバーを前記第１保持開口部から上方に向かって抜き取る工程と、前記フックカバーを前記フックカバー取付部に対して取り付ける工程と、を有することを特徴とする。【００２４】
本発明によれば、バンパフェイスとフックカバーとフックカバー保持機構とを一体成形した後、フックカバーをバンパフェイスから分離し、フックカバーのカバー軸部を第１保持開口部に挿入すると共に、カバー係止爪を保持係止爪に係合固定している。このようにすると、バンパフェイスとフックカバーとを同時に塗装する際、フックカバーの振動・変位を阻止して色ムラや塗装透けの発生を好適に防止することができる。また、このような製造方法を用いることにより、バンパフェイスの形状毎に治具を製作することが不要となり、製造コストを低減することができる。【００２５】
また、本発明によれば、通常、車両搬送用のアイボルトが車体に取り付けられているため、フックカバーは、アイボルトを取り外すときにディーラーで取り付けられる。この場合、本発明では、別途工具を用いることがなく、フックカバーをフックカバー取付部に対して容易に装着することができる。【００２６】
さらに、本発明によれば、製造工程において、フックカバーをバンパフェイスから分離しても、切り離されたフックカバーがフックカバー保持機構に支持固定された状態で一体として流通するため、包装コスト及び搬送コストを削減することができる。
【発明の効果】
【００２７】
本発明では、色ムラや塗装透けの発生を防止し、製造コストを低減することが可能な車両前部構造及び車両の製造方法を得ることができる。
【図面の簡単な説明】
【００２８】
【図１】図１は、本発明の実施形態に係る車両前部構造が適用された車両の前部を示す斜視図である。
【図２】（ａ）〜（ｃ）は、バンパフェイスの製造工程を示す正面図である。
【図３】（ａ）は、射出成形体を前方から見たフックカバーの拡大斜視図、（ｂ）は、射出成形体を後方から見たフックカバーの拡大斜視図である。
【図４】（ａ）は、射出成形体を前方から見たフックカバー保持機構の拡大斜視図、（ｂ）は、射出成形体を後方から見たフックカバー保持機構の拡大斜視図である。
【図５】（ａ）は、フックカバーがフックカバー保持機構に支持固定された状態を示す拡大斜視図、（ｂ）は、支持固定された状態を後方から見た拡大斜視図である。
【図６】図５（ａ）のＡ−Ａ線に沿った拡大縦断面図である。
【図７】（ａ）〜（ｄ）は、フックカバー保持機構に保持されたフックカバーを離脱させる状態を示す斜視図である。
【図８】（ａ）は、バンパフェイスを前方から見たフックカバー取付部の斜視図、（ｂ）、（ｃ）は、バンパフェイスを後方から見たフックカバー取付部の斜視図である。
【図９】（ａ）は、フックカバーがフックカバー取付部に取り付けられた状態の部分拡大斜視図、（ｂ）は、（ａ）のＢ−Ｂ線に沿った横断面図である。
【図１０】（ａ）、（ｂ）は、フックカバー取付部に対してフックカバーを取り付ける状態を示す拡大斜視図である。
【図１１】（ａ）、（ｂ）は、フックカバーがフックカバー取付部から開放された状態を示す拡大斜視図である。
【発明を実施するための形態】
【００２９】
次に、本発明の実施形態について、適宜図面を参照しながら詳細に説明する。図１は、本発明の実施形態に係る車両前部構造が適用された車両の前部を示す斜視図である。なお、各図中に矢印で示される、「前後」及び「上下」は、車体の前後方向及び上下方向を示し、「左右」は、運転席から見た左右方向をそれぞれ示している。
【００３０】
図１に示されるように、完成品からなる車両１０は、その前端に設けられるバンパフェイス１２と、バンパフェイス１２のバンパ開口部１４（図２（ａ）、（ｂ）参照）に取り付けられるロアグリル（バンパ構成部材）１６と、バンパフェイス１２の外端に設けられたフックカバー取付部１８に装着されたフックカバー２０とを備えて構成されている。なお、図１では、ロアグリル１６に装着されるライセンスプレートの図示を省略している。
【００３１】
ロアグリル１６は、図示しないライセンスプレートが装着されるライセンスプレート設置部２２と、ライセンスプレート設置部２２に形成されるライセンスプレート開口部２４とを有する。
【００３２】
図２は、バンパフェイスの製造工程を示す正面図であり、図２（ａ）は、射出成形によってバンパフェイス及びフックカバーが一体成形された射出成形体の正面図、図２（ｂ）は、バンパフェイスの塗装時及び搬送時において、フックカバーがフックカバー保持機構に支持固定された状態を示す正面図、図２（ｃ）は、フックカバーがフックカバー取付部に取り付けられた完成車両の前部を示す正面図である。
【００３３】
図２（ａ）〜（ｃ）に基づいて、バンパフェイス１２の製造工程を概略説明する。
図２（ａ）に示されるように、図示しない金型から取り出された射出成形体１２ａは、フックカバー２０と、フックカバー２０を保持するフックカバー保持機構２６と、バンパフェイス１２とが、例えば、樹脂材料によって一体成形される。この射出成形体１２ａにおいて、バンパ開口部１４の上部側にフックカバー２０が配置され、バンパ開口部１４の下部側にフックカバー保持機構２６が配置される。
【００３４】
続いて、図２（ｂ）に示されるように、フックカバー２０をバンパ開口部１４の端縁部から分離し、分離したフックカバー２０をフックカバー保持機構２６に支持固定する。すなわち、後記する図５に示されるように、フックカバー２０のカバー軸部２８をフックカバー保持機構２６の第１保持開口部３０に挿入すると共に、フックカバー２０のカバー係止爪３２をフックカバー保持機構２６の保持係止爪３４に係合固定（係合支持）することで、フックカバー２０がフックカバー保持機構２６に支持固定される。フックカバー２０がフックカバー保持機構２６に支持固定された状態で、バンパフェイス１２及びフックカバー２０の両方に対して略同時に塗装工程が行われる（後記する図６参照）。この塗装工程が終了した後、フックカバー２０がフックカバー保持機構２６に支持固定された状態を維持しながら、メーカーからディーラーへの搬送が遂行される。
【００３５】
ディーラーでは、フックカバー保持機構２６からフックカバー２０を離間させる。すなわち、後記する図７に示されるように、フックカバー保持機構２６の保持操作部３６をバンパフェイス１２の内方に押圧してカバー係止爪３２と保持係止爪３４との係合を解除すると共に、フックカバー２０を第１保持開口部３０から上方に向かって抜き取ることで、フックカバー保持機構２６からフックカバー２０を離間させることができる。この離間したフックカバー２０を貫通孔３８（フック孔）が形成されたフックカバー取付部１８に対して取り付けることにより、図２（ｃ）に示す完成した車両１０となる。
【００３６】
上記の製造方法では、バンパフェイス１２とフックカバー２０とフックカバー保持機構２６とを射出成形によって一体成形した後、フックカバー２０をバンパフェイス１２から分離し、フックカバー２０のカバー軸部２８を第１保持開口部３０内に挿入すると共に、カバー係止爪３２を保持係止爪３４に係合固定している（図５参照）。
【００３７】
このようにすると、バンパフェイス１２とフックカバー２０とを同時に塗装する際、フックカバー２０の振動・変位を阻止して色ムラや塗装透けの発生を好適に防止することができる。また、このような製造方法を用いることにより、バンパフェイス１２の形状毎に治具を製作することが不要となり、製造コストを低減することができる。
【００３８】
また、通常、車両搬送用のアイボルトが車体に取り付けられているため、フックカバー２０は、アイボルトを取り外すときにディーラーによって取り付けられる。この場合、本実施形態では、後記するように、別途工具を用いることがなく、フックカバー２０をフックカバー取付部１８に対して容易に装着することができる。
【００３９】
さらに、本実施形態では、製造工程においてフックカバー２０をバンパフェイス１２から分離しても、切り離されたフックカバー２０がフックカバー保持機構２６に支持固定された状態で一体として流通するため、包装コスト及び搬送コストを削減することができる。
【００４０】
次に、図２（ａ）に示される射出成形体１２ａを用いて、フックカバー２０及びフックカバー保持機構２６の構成を以下詳細に説明する。
図３（ａ）は、射出成形体を前方から見たフックカバーの拡大斜視図、図３（ｂ）は、射出成形体を後方から見たフックカバーの拡大斜視図、図４（ａ）は、射出成形体を前方から見たフックカバー保持機構の拡大斜視図、図４（ｂ）は、射出成形体を後方から見たフックカバー保持機構の拡大斜視図、図５（ａ）は、フックカバーがフックカバー保持機構に支持固定された状態を示す拡大斜視図、図５（ｂ）は、支持固定された状態を後方から見た拡大斜視図、図６は、図５（ａ）のＡ−Ａ線に沿った拡大縦断面図である。
【００４１】
図３（ａ）、（ｂ）に示されるように、フックカバー２０は、略円盤状に形成されたカバー本体部４０と、カバー本体部４０と一体的に形成されカバー本体部４０から外方に延出するカバー軸部２８とを備える。カバー本体部４０には、フックカバー取付部１８に設けられたバンパ係合部４４（図８（ｃ）参照）に係止されるカバー係止爪３２と、カバー係止爪３２に連続しカバー本体部４０の外周部に沿って形成されるカバー段部４６と、フックカバー取付部１８に装着されたフックカバー２０を引き出して開放するときに工具を差し込むための開放用凹部４８とを有する。カバー軸部２８は、フックカバー保持機構２６の第１保持開口部３０内に挿入可能な棒形状に形成される。
【００４２】
この場合、カバー本体部４０はカバー係止爪３２を有し、カバー係止爪３２が、フックカバー取付部１８のバンパ係合部４４及びフックカバー保持機構２６の保持係止爪３４にそれぞれ係合することで、フックカバー取付部１８の閉塞時、フックカバー２０の塗装時、搬送時や高圧洗浄時にフックカバー２０が外れないようにするものである。また、カバー段部４６は、バンパフェイス１２の貫通孔３８（フック孔、図２（ｃ）参照）をフックカバー２０で閉塞する際、バンパ意匠面とカバー本体部４０との間に一定の段差を保つためのものである。
【００４３】
カバー本体部４０とカバー軸部２８との間には、カバー支持部５０とカバー弾性部５２とが設けられる。カバー支持部５０は、カバー挿入口５４（図８（ａ）参照）に設けられたバンパ段部５６に当接し、フックカバー２０の開閉時にフックカバー２０を支持する支点機能を有する。カバー弾性部５２は、フックカバー取付部１８の閉塞時及びフックカバー２０の保持時にカバー係止爪３２を弾性的に係止させることで、カバー本体部４０を支持する機能を有する。
【００４４】
カバー軸部２８には、左右側部中央からカバー本体部４０に向かって外方に延出し、正面からみて左下がり勾配及び右下がり勾配にそれぞれ傾斜して形成され、弾性力を備えた一対のカバー規制部５８を有する。このカバー規制部５８は、フックカバー２０の開放時にバンパフェイス１２の背面部に当接することでフックカバー取付部１８からのフックカバー２０の脱落を防止するものである。
【００４５】
フックカバー保持機構２６は、図１（ｃ）に示されるように、ライセンスプレート開口部２４内に配置される。また、フックカバー２０は、図２（ａ）の射出成形体１２ａに示されるように、バンパ開口部１４内にてバンパフェイス１２と一体成形され、フックカバー２０を着脱自在に支持固定するものである。
【００４６】
フックカバー保持機構２６は、図４に示されるように、略平板状の矩形体からなる保持本体部６０を有し、バンパ開口部１４の内側端縁部によって上方に向かって突出した状態で支持される（図２参照）。保持本体部６０の下方側には、バンパフェイス１２の外方に設けられて内側端縁部に連続する一対のカバー保持爪６２と、フックカバー２０を支持固定するときにカバー軸部２８が挿入される矩形状の第１保持開口部３０と、一対のカバー保持爪６２の上方で第１保持開口部３０の左右側に配置され、バンパ開口部１４の端縁に接続されて保持本体部６０を支持する一対の保持脚部６４とが設けられる。一対の保持脚部６４の背面には、バンパフェイス１２の内方に膨出して設けられ、保持脚部６４を補強する保持補強部６６が設けられる。
【００４７】
保持本体部６０には、表面（前方）側に向かって膨出する保持膨出部６８と、横長矩形状の空間部からなる第２保持開口部７０と、第２保持開口部７０内に臨むように突出し弾性変形することによりカバー係止爪３２が係合支持される保持係止爪３４と、第２保持開口部７０の近傍からバンパ開口部１４の中央に向かって延出し作業者によって押圧操作される保持操作部３６とが設けられる。
【００４８】
保持本体部６０は、フックカバー保持機構２６によって支持固定されるフックカバー２０が塗装時に振動・変位等で色ムラや塗装透けが起こらないように保持するものであり、また、輸送時の風圧や高圧洗浄時にフックカバー２０がフックカバー保持機構２６から離脱しないように適切な弾性力を有する。
【００４９】
一対のカバー保持爪６２は、フックカバー２０の保持時にカバー軸部２８を左右両側から挟み込むことで、フックカバー２０を支持固定する機能を有する。また、第１保持開口部３０は、フックカバー２０の保持時にカバー軸部２８が挿入されることで、フックカバー２０を支持するものである。さらに、一対の保持脚部６４は、バンパ開口部１４の下部に配設されて保持本体部６０を支持するものである。
【００５０】
保持補強部６６は、塗装時に振動・変位で色ムラや塗装透けが発生しないように保持脚部６４を補強すると共に、輸送時の風圧や高圧洗浄時にフックカバー２０が離脱しないように保持脚部６４の強度・剛性を補強するものである。
【００５１】
保持膨出部６８は、フックカバー２０の保持時にフックカバー２０をバンパ開口部１４外方に向かって押圧し続けることで保持係止爪３４に係止されたフックカバー２０を支持するものである。第２保持開口部７０は、フックカバー２０の保持時にカバー係止爪３２が挿入され、フックカバー２０を係止する保持係止爪３４を有する。
【００５２】
保持係止爪３４は、フックカバー２０の保持時にカバー係止爪３２を係止することで輸送時の風圧や高圧洗浄時にフックカバー２０が離脱しないようにするものである。保持操作部３６は、フックカバー２０の保持時にバンパ開口部１４の内方側に向かって作業者が押圧することで、カバー係止爪３２に係止されていた保持係止爪３４が外れ（保持係止爪３４との係合が解除され）、フックカバー２０が上方に抜き取り可能となる。
【００５３】
次に、フックカバー２０をフックカバー保持機構２６に挿入して支持固定されるときの支持構造について、図６に基づいて説明する。
【００５４】
先ず、フックカバー２０のカバー軸部２８をフックカバー保持機構２６の第１保持開口部３０内に挿入することで、一対のカバー保持爪６２によって両側から挟持され、カバー軸部２８と一対のカバー保持爪６２との間で支持点が発生する。なお、この支持点は、一対のカバー保持爪６２の内面とカバー軸部２８の外面との間での面接触（又は、点接触）によって形成される。
【００５５】
続いて、作業者のバンパ開口部１４内方への入力に対し、支持点を中心としてカバー弾性部５２の弾性力が作用し、バンパ開口部１４外方への反力Ｆが発生する。このカバー本体部４０への作業者の入力は、フックカバー２０が保持膨出部６８に対して当接すると停止すると共に、カバー係止爪３２と保持係止爪３４とが係合する。
【００５６】
最後に、反力Ｆによってカバー係止爪３２が保持係止爪３４に押圧されることで、フックカバー２０がフックカバー保持機構２６により支持固定される。
【００５７】
図７（ａ）〜（ｄ）は、フックカバー保持機構に保持されたフックカバーを離脱させる状態を示す斜視図である。フックカバー２０が支持固定された状態において、フックカバー２０をフックカバー保持機構２６から離脱（離間）させる離脱構造について、図７（ａ）〜（ｄ）に基づいて説明する。
【００５８】
作業者が保持操作部３６に対してバンパ開口部１４内方（矢印方向）へ押圧すると、保持本体部６０及び保持脚部６４が弾性変形し、この弾性変形によってフックカバー保持機構２６の全体が僅かに後方へ傾斜する（図７（ａ）参照）。
【００５９】
続いて、フックカバー保持機構２６が傾くことで保持係止爪３４も後方に変位し、フックカバー２０のカバー係止爪３２が斜め下後方（矢印Ｂ方向）に押されて、カバー係止爪３２と保持係止爪３４との係合が解除される（図７（ｂ）参照）。保持係止爪３４の係合状態が解除されることで押さえられていたカバー弾性部５２の弾性力がバンパ開口部１４外方に解放され、カバー本体部４０がフックカバー保持機構２６（保持膨出部６８）から離間（変位）する。
【００６０】
作業者は、カバー本体部４０が手前側（前方）に変位することで、フックカバー２０を掴み易くなり、工具等を使用することがなくフックカバー２０をフックカバー保持機構２６から容易に上方に向かって抜き出す（離脱させる）ことができる（図７（ｃ）、（ｄ）参照）。
【００６１】
図８（ａ）は、バンパフェイスを前方から見たフックカバー取付部の斜視図、図８（ｂ）、（ｃ）は、バンパフェイスを後方から見たフックカバー取付部の斜視図、図９（ａ）は、フックカバーがフックカバー取付部に取り付けられた状態の部分拡大斜視図、図９（ｂ）は、図９（ａ）のＢ−Ｂ線に沿った横断面図である。
【００６２】
フックカバー取付部１８は、バンパフェイス１２の外端に位置し（図２参照）、略円形状の貫通孔３８（フック孔）が車両１０の前後方向に貫通して形成される。
【００６３】
フックカバー取付部１８は、略円形状の開口に沿った壁部からなりフックカバー２０の外周面を支持するカバー支持壁７２と、フックカバー２０に形成されたカバー係止爪３２と係合して支持するバンパ係合部４４と、バンパ係合部４４と周方向に沿った反対側の位置に対向配置されカバー軸部２８が挿通されるカバー挿入口５４とを含む。さらに、フックカバー取付部１８は、カバー挿入口５４の内周縁部の一部に形成されカバー支持部５０に当接して支持するバンパ段部５６と、カバー挿入口５４内に挿通されたフックカバー２０のカバー軸部２８がバンパフェイス１２から離間する方向への変位を規制するバンパ規制部７４とを備える。
【００６４】
この場合、図９（ｂ）に示されるように、フックカバー２０がフックカバー取付部１８に装着されて貫通孔３８が閉塞された際、フックカバー２０に形成されたカバー段部４６がバンパ支持壁７２の内壁７２ａに当接することにより、バンパ意匠面とカバー本体部４０の意匠面との間で一定の段差量が確保される。
【００６５】
図１０（ａ）、（ｂ）は、フックカバー取付部に対してフックカバーを取り付ける状態を示す拡大斜視図である。作業者は、図１０（ａ）に示されるように、バンパフェイス１２の前方からフックカバー２０のカバー軸部２８をカバー挿入口５４に矢印方向に沿って挿入する。その際、カバー軸部２８から外方向に向かって突出する２本のカバー規制部５８が、図１０（ｂ）に示されるように、カバー軸部２８側に向かって矢印方向に弾性変形することにより、カバー軸部２８をカバー挿入口５４に対して円滑に挿入することができる。
【００６６】
カバー軸部２８をカバー挿入口５４に挿入した後、カバー本体部４０を円形状の開口に沿って押圧することにより、フックカバー２０がカバー支持壁７２に当接すると共に、カバー係止爪３２とバンパ係合部４４とが係合してフックカバー２０がフックカバー取付部１８に対して装着される。
【００６７】
図１１（ａ）、（ｂ）は、フックカバーがフックカバー取付部から開放された状態を示す拡大斜視図であり、図１１（ａ）は、バンパフェイスの前面から見た図、図１１（ｂ）は、バンパフェイスの裏面から見た図である。
【００６８】
作業者がフックカバー２０の下部に形成された開放用凹部４８に対し、例えば、マイナスドライバ等の工具の先端部を挿入し、カバー本体部４０を前方に引き出すことによりフックカバー２０が車両外方に開放される（図１１（ａ）参照）。この場合、カバー挿入口５４は、車両１０の前後方向に沿って所定幅で形成されているため、バンパ段部５６を回動支点としてカバー本体部４０が矢印方向に沿って回動する。なお、カバー本体部４０は、カバー弾性部５２と、カバー軸部２８のカバー弾性部５２近傍部位のバンパ規制部７４とが当接するところまで開放可能に設けられる（図１１（ｂ）参照）。
【００６９】
また、カバー規制部５８は、バンパフェイス１２の背面（裏面）で弾性支持されるため（図１１（ｂ）参照）、図示しない牽引フックの使用時においても、フックカバー２０がバンパフェイス１２から脱落することを防止することができる。
【００７０】
本実施形態に係る車両前部構造が適用された車両１０は、基本的に以上のように構成されるものであり、次にその作用効果について説明する。
【００７１】
本実施形態では、バンパフェイス１２とフックカバー２０とフックカバー保持機構２６とが、例えば、樹脂材料で射出成形によって一体成形された後、フックカバー２０をバンパフェイス１２から分離し、フックカバー２０の弾性変形によってカバー係止爪３２をフックカバー保持機構２６の保持係止爪３４に係合支持させている。
【００７２】
このようにすることにより、本実施形態では、バンパフェイス１２とフックカバー２０とを同時に塗装する際、フックカバー保持機構２６がフックカバー２０の振動・変位を阻止して支持固定する治具の機能を発揮させることができる。この結果、本実施形態では、塗装時における色ムラや塗装透けの発生を防止することができる。
【００７３】
また、本実施形態では、製造時にバンパフェイス１２からフックカバー２０を分離することで、別部品として管理することができ、補修部品製造時において、常時、バンパフェイス１２及びフックカバー２０の両方を製造することが不要となり、製造コストを低減することができる。
【００７４】
さらに、本実施形態では、フックカバー２０がフックカバー保持機構２６によって支持固定された状態で輸送及び高圧洗浄されるため、輸送時の走行風による風圧や高圧洗浄時の洗浄液による水圧でフックカバー２０がバンパフェイス１２から離脱することを回避することができる。
【００７５】
さらにまた、本実施形態では、フックカバー保持機構２６を介して、バンパフェイス１２とフックカバー２０とが一体的に組み付けられて支持固定された状態で輸送することができるため、包装コスト及び輸送コストを削減して製造コストを低減することができる。
【００７６】
さらにまた、本実施形態では、バンパフェイス１２から分離したフックカバー２０のカバー軸部２８を第１保持開口部３０内に挿入し、カバー弾性部５２の弾性変形によってカバー係止爪３２を保持係止爪３４に対して確実に係合支持することができる。
【００７７】
さらにまた、本実施形態では、フックカバー２０のカバー軸部２８を保持脚部６４で係止することによりフックカバー２０を確実に保持することができ、塗装時におけるフックカバー２０の振動・変位や、輸送時における風圧や、高圧洗浄時における水圧によってフックカバー２０が離脱することを好適に回避することができる。
【００７８】
さらにまた、本実施形態では、保持操作部３６をバンパフェイス１２の内方に押圧することで、カバー係止爪３２と保持係止爪３４との係合を容易に解除することができ、一方、フックカバー保持機構２６からフックカバー２０を取り外すときに、別途工具が不要となって作業性を向上させることができる。
【００７９】
さらにまた、本実施形態では、カバー保持爪６２と保持補強部６６とを設けることにより、フックカバー２０のカバー軸部２８に対する支持固定機能を強化し、安定した支持固定状態が得られる。
【００８０】
さらにまた、本実施形態では、バンパフェイス１２が車両１０の前端に取り付けられた後、ライセンスプレートがライセンスプレート設置部２２に取り付けられる前にフックカバー２０の取付作業が遂行される。この場合、フックカバー保持機構２６は、車両１０の外方から視認可能なライセンスプレート開口部２４内に配置されているため、バンパフェイス１２やロアグリル１６を取り外すことがなく、しかも、別途工具等を用いることがなく、フックカバー保持機構２６からフックカバー２０を簡便に取り外すことができる。
【００８１】
さらにまた、本実施形態では、フックカバー２０のカバー軸部２８に弾性力を有するカバー規制部５８を設け、フックカバー２０がフックカバー取付部１８から車両１０の外方に開放された際、カバー規制部５８によってバンパフェイス１２の裏面を弾性支持することができる。この結果、本実施形態では、図示しない牽引フックの使用時であってもフックカバー２０がバンパフェイス１２から脱落することがなく、また、開放時にフックカバー２０が回動してもバンパフェイス１２の意匠面を傷つけるおそれがない。
【符号の説明】
【００８２】
１０    車両
１２    バンパフェイス
１４    バンパ開口部
１６    ロアグリル（バンパ構成部材）
１８    フックカバー取付部
２０    フックカバー
２２    ライセンスプレート設置部
２４    ライセンスプレート開口部
２６    フックカバー保持機構
２８    カバー軸部
３０    第１保持開口部
３２    カバー係止爪
３４    保持係止爪
３６    保持操作部
３８    貫通孔
４０    カバー本体部
４４    バンパ係合部
４６    カバー段部
５０    カバー支持部
５２    カバー弾性部
５４    カバー挿入口
５６    バンパ段部
５８    カバー規制部
６２    カバー保持爪
６４    保持脚部
６６    保持補強部
７０    第２保持開口部
【図１】
2013027576.tif 000003
【図２】
2013027576.tif 000004
【図３】
2013027576.tif 000005
【図４】
2013027576.tif 000006
【図５】
2013027576.tif 000007
【図６】
2013027576.tif 000008
【図７】
2013027576.tif 000009
【図８】
2013027576.tif 000010
【図９】
2013027576.tif 000011
【図１０】
2013027576.tif 000012
【図１１】
2013027576.tif 000013
【国際調査報告】
2013027576.tif 000014
2013027576.tif 000015
2013027576.tif 000016
2013027576.tif 000017